(57)【要約】【課題】従来の画像表示装置では、装置本体を支持するスタンドが一体的に組み立てられて構成されていたため、スタンドのベース部の色や模様が一義的に決定されたものとなり、使用者が好みの色・模様のバリエーションを自由に選択して交換することができないという課題がある。【解決手段】表示装置本体と、表示装置本体を支持するスタンドと、を備え、スタンドは、表示装置本体に装着される支柱部と、支柱部を支持するベース部と、少なくともベース部を覆うカバー部材と、を有し、スタンドが表示装置本体を支持した状態において、カバー部材をベース部に対して略水平方向に移動させて着脱可能とした。【選択図】図６
2007156353.tif 000002
【特許請求の範囲】
【請求項１】
表示装置本体と、
前記表示装置本体を支持するスタンドと、を備え、
前記スタンドは、前記表示装置本体に装着される支柱部と、
前記支柱部を支持するベース部と、
少なくとも前記ベース部を覆うカバー部材と、を有し、
前記スタンドが前記表示装置本体を支持した状態において、前記カバー部材を前記ベース部に対して略水平方向に移動させて着脱可能としたことを特徴とする画像表示装置。
【請求項２】
前記カバー部材は、前記支柱部の少なくとも根元部分を固定的に覆う固定カバーと、前記ベース部を着脱可能に覆う着脱カバーと、を有し
前記固定カバー及び前記着脱カバーの一方には、弾性変形が可能とされたロック片を設け、前記固定カバー及び前記着脱カバーの他方には、前記ロック片が係合される係止部を設けたことを特徴とする請求項１記載の画像表示装置。
【請求項３】
前記ベース部には、前記着脱カバーの挿入方向を所定方向へ案内するガイド部を設けると共に、前記着脱カバーには、前記ガイド部に係合されるガイド受け部を設けたことを特徴とする請求項２記載の画像表示装置。
【請求項４】
前記ベース部及び前記固定カバーの一方には、弾性変形が可能とされた爪部を設けると共に、前記ベース部及び前記固定カバーの他方には、前記爪部が係合される係合部を設け、前記係合部に前記爪部が係合した状態で前記固定カバーが前記ベース部に固定されることを特徴とする請求項２記載の画像表示装置。
【請求項５】
前記固定カバーの前記着脱カバーと対向する面を、前記支柱部の根元部分よりも上部を前記着脱カバー側に突出させて前下がりの傾斜面としたことを特徴とする請求項２記載の画像表示装置。
【請求項６】
前記着脱カバーは、前記表示装置本体の正面側から略水平方向へ移動させることにより前記ベース部に対して着脱可能であることを特徴とする請求項２記載の画像表示装置。
【発明の詳細な説明】
【技術分野】
【０００１】
本発明は、液晶ディスプレイやプラズマディスプレイ等の表示装置本体がスタンドにより支持される画像表示装置に関するものである。
【背景技術】
【０００２】
従来の、この種の画像表示装置としては、例えば、特許文献１に記載されているようなものがある。特許文献１には、ディスプレイ本体を左右方向に角度を変えて見ることができるようにしたスィーベル機構を備えたディスプレイ装置に関するものが記載されている。この特許文献１に記載されたディスプレイ装置は、「ディスプレイ本体と、外装部を形成する外部支柱、及びその外部支柱の軸方向に沿って前記外部支柱内に挿入され外形が円筒状を成す内部支柱とを有し、前記内部支柱の先端部が外部支柱の頂部よりも突出したスタンドと、前記内部支柱の前記先端部に取付けられ、前記内部支柱の軸周りに所定の範囲内で回転可能なスィーベル機構と、前記ディスプレイ本体を前記内部支柱の軸周りに沿って回転可能とするため、前記スイーベル機構によって前記ディスプレイ本体を支えるように、前記ディスプレイ本体の底面部と前記スィーベル機構とを結合する取付金具とを具備した」ことを特徴としている。
【０００３】
このような構成を有する特許文献１に記載のディスプレイ装置によれば、「ディスプレイ本体の角度を任意に調節可能で、デザイン上の制約を低減し、かつ構造的にも安全で簡素化されたディスプレイ装置を得ることができる（段落［００１０］を参照）」という効果が期待される。
【特許文献１】特開２００５−２２１８２３号公報
【０００４】
しかしながら、特許文献１に記載されたディスプレイ装置の場合、装置本体を支持するスタンドは、載置面に載置されるベース部と、このベース部を覆うように取り付けられる外部支柱と、ベース部に支持されると共に外部支柱を挿通する内部支柱等が一体的に組み立てられて構成されていた。その結果、ベース部を覆う外部支柱の色や模様は一義的に決定されたものとなり、使用者が好みの色・模様のバリエーションを自由に選択して交換することができなかった。
【発明の開示】
【発明が解決しようとする課題】
【０００５】
解決しようとする問題点は、従来の画像表示装置では、装置本体を支持するスタンドが一体的に組み立てられて構成されていたため、スタンドのベース部を覆う部材の色や模様が一義的に決定されており、使用者が好みの色・模様のバリエーションを自由に選択して交換することができない、という点である。
【課題を解決するための手段】
【０００６】
本発明の画像表示装置は、表示装置本体と、表示装置本体を支持するスタンドと、を備え、スタンドは、表示装置本体に装着される支柱部と、支柱部を支持するベース部と、少なくともベース部を覆うカバー部材と、を有し、スタンドが表示装置本体を支持した状態において、カバー部材をベース部に対して略水平方向に移動させて着脱可能としたことを最も主要な特徴とする。
【発明の効果】
【０００７】
本発明の画像表示装置によれば、スタンドが表示装置本体を支持した状態において、そのスタンドのカバー部材をベース部に対して着脱可能な構成としたため、カバー部材の色や模様を自由に選択して簡単に交換することができ、多様化する使用者の嗜好に対応可能な画像表示装置を提供することができる。
【発明を実施するための最良の形態】
【０００８】
カバー部材の色や模様等のバリエーションが豊富であって、それらカバー部材の交換を使用者が容易に行うことができる画像表示装置を、簡単な構成によって実現した。
【０００９】
以下、本発明の実施の形態を、添付した図面を参照して説明する。図１〜図１１は、本発明の実施の形態の例を説明するものである。即ち、図１は本発明の画像表示装置の一実施例を正面側から見た斜視図、図２は同じく背面側から見た斜視図、図３は同じく装置全体の分解斜視図、図４はスタンドの一実施例を正面側から見た斜視図、図５は図４に示すスタンドの分解斜視図、図６は同じく着脱カバーを取り外した状態を正面側からみた斜視図、図７は同じく着脱カバーを取り外した状態を底面側からみた斜視図、図８は図４中のＡ−Ａ線断面図、図９は図４に示すスタンドの固定カバーの要部を正面側から見た斜視図、図１０は同じく着脱カバーの要部を底面側からみた斜視図、図１１は着脱カバーをロックした状態を説明するための説明図である。
【００１０】
図１〜図３には、本発明の画像表示装置の第１の実施の形態として液晶ディスプレイテレビ１を示している。この液晶ディスプレイテレビ１は、テレビジョン受像機として画像を表示するものであり、いわゆる薄型の画像表示装置である。しかしながら、本発明に係る画像表示装置としては、この液晶ディスプレイテレビ１に限定されるものではなく、例えば、プラズマディスプレイテレビ、プロジェクタその他の画像を表示可能な表示装置に適用できるものであることは勿論である。
【００１１】
この液晶ディスプレイテレビ１は、図１等に示すように、画像が表示される表示装置本体の一具体例を示すディスプレイ本体２と、このディスプレイ本体２を下方から支持するスタンド３等を備えて構成されている。
【００１２】
図３に示すように、ディスプレイ本体２は、表示パネル６を有するパネル組立体５と、このパネル組立体５が取り付けられる取付フレーム７と、この取付フレーム７に取り付けられるカバーフレーム８及びスピーカユニット９と、パネル組立体５の背面側を覆うバックカバー１０等から構成されている。これらパネル組立体６等は、互いに前後方向に重ね合わされ、その重ね合わせた状態で固定ねじ等の固着手段によりそれぞれ着脱可能に締付固定されて一体的に構成されている。
【００１３】
ディスプレイ本体のパネル組立体５は、平面状に展開された表示面を有する表示パネル６と、入力される画像信号や音声信号等の電気信号を制御して表示パネル６の画面上に表示したり、スピーカユニット９のスピーカ装置から音声を出力したりする駆動制御装置と、スタンド３が着脱可能に固定されるスタンド装着部等を備えている。
【００１４】
表示パネル６は、スクリーンとしての表示面３ａを有する横長で長方形の発行デバイスである液晶ディスプレイパネル（ＬＤＰ）と、このＬＤＰの周囲を囲うようにして保持する枠部材１２と、枠部材１２内においてＬＤＰの背面を覆うように配置されたバックライト等から構成されている。この表示パネル６の背面に駆動制御装置及びスタンド装着部が取り付けられている。
【００１５】
図示しないが、駆動制御装置は、電源回路を有する電源基板や駆動回路その他の電気回路を有する回路基板と、これらの基板等を支持するベースプレート等からなり、そのベースプレートにＬＤＰと電源基板回路及び回路基板等が組み立てられて一体的に構成されている。また、スタンド装着部は、ディスプレイ本体２を支えるための背骨のようなものであり、上下方向に延在されて表示パネル６の背面に固定されている。
【００１６】
パネル組立体５に取り付けられる取付フレーム７は、別部材として個別に形成されたアウターフレーム１４と、このアウターフレーム１４よりやや小さく形成されたインナーフレーム１５との組み合わせからなっている。即ち、アウターフレーム１４及びインナーフレーム１５は、表示パネル６の表示面に見合う大きさの長方形の開口部１６，１７を有する長方形の枠体からなり、アウターフレーム１４の内側縁とインナーフレーム１５の外側縁とを重ね合わせ、その重ね合わせた部分を複数個の固定ねじでねじ止めすることによって一体的に構成されている。そして、インナーフレーム１５の開口部１７から表示パネル６の表示面が露出されている。
【００１７】
アウラーフレーム１４は、上下方向に対向された互いに平行をなす上部片１４ａ及び下部片１４ｂと、左右方向に対向された互いに平行をなす左右の側部片１４ｃ，１４ｄとを有している。アウターフレーム１４の内縁には、インナーフレーム１５を取り付けるために内側に張り出したフランジ部１４ｅが設けられている。フランジ部１４ｅは、アウターフレーム１４の内縁に沿って、４箇所の角部とその中間部等の必要な部分に間欠的に配置されている。
【００１８】
このアウターフレーム１４の材質としては、例えば、ポリカーボネート（ＰＣ）、アクリロにトリル・ブタジエン・スチレン樹脂（ＡＢＳ）等の合成樹脂が好適であるが、アルミニウム合金等の金属材料を用いることもできる。この実施の形態の場合、アウターフレーム１４は、透明な合成樹脂を用いて射出成形等により一体に形成されている。
【００１９】
アウターフレーム１４の外周縁には、そのアウターフレーム１４の強度を高めるように補強する縁取り部材１８が取り付けられている。縁取り部材１８は、アウターフレーム１４の上部片１４ａ及び下部片１４ｂに配置される上レール部１９ａ及び下レール部１９ｂと、左右の側部片１４ｃ，１４ｄに配置される左右のレール部１９ｃ，１９ｄと、４つの角部にそれぞれ配置されるコーナー部２０とから構成されている。これら４つのレール部１９ａ〜１９ｄ及び４つのコーナー部２０の材質としては、例えば、アルミニウム合金が好適であるが、その他の金属を用いることができることは勿論のこと、金属以外のエンジニアリングプラスチック等を用いることもできる。
【００２０】
インナーフレーム１５は、上下方向に対向された互いに平行をなす上部片１５ａ及び下部片１５ｂと、左右方向に対向された互いに平行をなす左右の側部片１５ｃ，１５ｄとを有している。インナーフレーム１５の左右の側部片１５ｃ，１５ｄには、スピーカユニット９に収納されたスピーカ装置の発音部を露出させるための複数のスピーカ用穴２１ａ，２１ｂがそれぞれ設けられている。この実施の形態において、各側部片１５ｃ，１５ｄには、２つの低音用スピーカ装置のための２つの第１のスピーカ用穴２１ａと、１つの高音用スピーカ装置のための１つの第２のスピーカ用穴２１ｂが設けられている。
【００２１】
インナーフレーム１５の材質としては、例えば、ポリカーボネート（ＰＣ）、アクリロにトリル・ブタジエン・スチレン樹脂（ＡＢＳ）等の合成樹脂が好適であるが、アルミニウム合金等の金属材料を用いることもできる。この実施の形態の場合、インナーフレーム１５は、不透明な合成樹脂を用いて射出成形等により一体に形成されている。
【００２２】
カバーフレーム８は、アウターフレーム１４よりは少し小さく、インナーフレーム１５よりは少し大きな長方形の枠体からなり、アウターフレーム１４とインナーフレーム１５の境目を覆い隠すことができる大きさとされている。このカバーフレーム８には、図示しないが、表裏面間を貫通する直径の微細な多数の透孔が設けられており、これにより、スピーカ装置から放射される音を通過させている。この透孔の直径は、例えば、１ｍｍ〜２ｍｍ程度が好適である。
【００２３】
このようなカバーフレーム８としては、例えば、ポリカーボネート（ＰＣ）、アクリロにトリル・ブタジエン・スチレン樹脂（ＡＢＳ）等の合成樹脂を用いて、射出成形等により一体に形成することが好ましい。しかしながら、合成樹脂以外にも、アルミニウムその他の金属材料を用いることもできる。
【００２４】
本実施の形態では、カバーフレーム８と前記アウターフレーム１４及びインナーフレーム１５を組み合わせることにより、後方を透視可能な透視部と、後方を覆い隠す不透視部を構成することができる。即ち、図１に示すように、カバーフレーム８によって覆われる部分と、縁取り部材１８によって覆われる部分とを除いたアウターフレーム１４が後方を透視可能な透視部２２を構成している。
【００２５】
スピーカユニット９は、ディスプレイ本体２内部に左右方向に所定の間隔をあけて２つ配置されている。左右のスピーカユニット９，９は、左右対称の形状及び構成とされていて、インナーフレーム１５の左右の側部片１５ｃ，１５ｄの背面に固定ねじ等の固着手段によって取り付けられている。このスピーカユニット９は、低音用スピーカ装置と、高音用スピーカ装置と、これらスピーカ装置が収納されるスピーカボックス２３等から構成されている。
【００２６】
スピーカユニット９のスピーカボックス２３は、上下方向に長く形成され且つ前面に開口された筐体からなる。スピーカボックス２３の前面には、上下方向に所定の間隔をあけて上下方向に延びる楕円形の開口部２３ａ，２３ａが設けられており、その略中間部に円形の開口部２３ｂが設けられている。そして、楕円形の開口部２３ａの内部には低音用スピーカ装置が収納され、円形の開口部２３ｂには、高温用のスピーカ装置が収納されている。
【００２７】
バックカバー１０は、アウターフレーム１４の背面に取り付けられたパネル組立体５等を覆う装飾性を兼ねた保護部材である。バックカバー１０の側面部には、各種の接続端子を露出させたり電源コードを引き出す等するための開口部２４が設けられている。このバックカバー１０の材質としては、例えば、適当な強度を有するエンジニアプラスチック等の合成樹脂が好適であるが、アルミニウム合金等の金属材料を用いることもできる。
【００２８】
図４〜図８に示すように、スタンド３は、床等の載置面に載置されるベース部３１と、このベース部３１に固定されて一体的に設けられると共にディスプレイ本体２のスタンド装着部に着脱可能に装着される一対の支柱部３２，３２と、ベース部３１に固定されると共に一対の支柱部３２，３２の根元部分を覆う固定カバー３３と、ベース部３１を着脱可能に覆う着脱カバー３４等を備えて構成されている。
【００２９】
スタンド３のベース部３１は、横長の略長方形の板体をなす載置板４１と、この載置板４１に連続する補強部材４２等から構成されている。載置板４１の一方の長辺は、中間部が水平方向の外側に膨らんだ円弧状に形成されており、その周縁部には、略垂直に立ち上がる円弧に湾曲したリブ片４３が設けられている。
【００３０】
載置板４１のリブ片４３と反対側の長辺には、その辺に沿って適宜な間隔で切り込みを設けることにより複数の嵌合爪４５が形成されている。複数の嵌合爪４５は、載置板４１に連続して斜め上方に突出するように形成されており、これらの嵌合爪４５には、着脱カバー３４の後述する嵌合溝６９が嵌合される。更に、載置板４１の２つの短辺には、着脱カバー３４を所定の方向に案内するためのガイド部４６，４６が設けられている。このガイド部４６は、載置板４１の短辺の中間部を上方へ切り起こすことにより突出させて形成されている。
【００３１】
載置板４１の上面には、補強用の膨出部４８が形成されており、これにより、載置板４１の強度を高めている。載置板４１の膨出部４８には、固定カバー３３を固定するための係合部の一具体例を示す係合穴４９が設けられている。この実施の形態において係合穴４９は、膨出部４８の幅方向の略中間部において長手方向に適宜な間隔をあけて配置された３つの前係合穴と、リブ変４３の近傍において長手方向に適宜な間隔をあけて配置された２つの後係合穴とからなっている。これらの係合穴４９には、固定カバー３３の後述する係合爪５９がそれぞれ着脱可能に係合される。
【００３２】
図７等に示すように、載置板４１の下面には、複数（本実施の形態では９個）のクッション部材５１が取り付けられている。クッション部材５１は、ゴム等の弾性部材からなり、載置板４１の四隅と各辺の中間部に１つ又は２つ配置されている。このクッション部材５１は、液晶ディスプレイテレビ１を載置する載置面に接して滑り止めの役割をなすと共に、その載置面に傷が付くのを防止するクッション材としての役割を有している。
【００３３】
補強部材４２は、載置板４１のリブ片４３の両側に連続して上方に延在された立上り部４２ａ，４２ａと、これら立上り部４２ａ，４２ａに連続して載置板４１側に傾斜するように展開されたカバー受け部４２ｂとから形成されている。補強部材４２のカバー受け部４２ｂには、ベース部３１に固定カバー３３を固定した状態で、その固定カバー３３の後述する補強リブ５６が当接される。また、カバー受け部３２ｂには、固定カバー３３を固定するための複数（本実施の形態では６つ設ける構成とし、図５において４つを示す）のねじ孔５３が設けられている。
【００３４】
図５に示すように、一対の支柱部３２，３２は、ベース部３１の載置板４１に形成した膨出部４８の長手方向の両端に取り付けられている。一対の支柱部３２，３２は同一のものであり、中空の角柱体として構成されている。各支柱部３２の長手方向の一端には、ベース部３１に固定するためのフランジ部３２ａ，３２ｂ，３２ｃが設けられており、他端には、開口部を覆うようにキャップ部材５４が取り付けられている。支柱部３２のフランジ部３２ａ〜３２ｃは、支柱部３２の一端を軸方向と直交する方向に外向きに折り曲げることにより形成されている。
【００３５】
このような支柱部３２，３２は、フランジ部３２ａ，３２ｂ，３２ｃを載置板４１の膨出部４８に固定ねじ等の固着手段によって固定することで立設されている。また、各支柱部３２，３２のベース部３１のリブ片４３と対向する面には、ディスプレイ本体２のスタンド装着部に着脱可能に装着するための図示しないねじ孔がそれぞれ設けられている。このような支柱部３２は、十分に大きな強度を発揮できるように強度の大きな金属材料、例えば、鋼材等によって形成されている。
【００３６】
固定カバー３３は、一対の支柱部３２，３２の根元部分からベース部３１の後部に至る部分を覆うことができる中空の筐体からなり、下面に開口されている。即ち、固定カバー３３は、正面部３３ａと背面部３３ｂと上面部３３ｃと左右の側面部３３ｄ，３３ｅと、背面部３３ｂに連続して水平方向に展開される半円部３３ｆを有している。図８に示すように、固定カバー３３の内部には、補強リブ５６が設けられている。固定カバー３３の補強リブ５６は、複数のリブ片から構成されており、水平方向の断面形状が略格子状となるように形成されている。この補強リブ５６の先端部は、固定カバー３３をベース部３１に固定した状態で、ベース部３１のカバー受け部４２ｂに当接される。
【００３７】
固定カバー３３の正面部３３ａは、ベース部３１の載置板４１側である下部よりも上部を着脱カバー３４側に突出させて前下がりの傾斜面に形成されている。これにより、固定カバー３３の正面部３３ａに光が当たると、その光が下方に向かって反射されるため、固定カバー３３を視界に入り難くすることができ、液晶ディスプレイテレビ１に奥行き感を与えて画面全体を浮き上がらせて見せることができる。
【００３８】
また、固定カバー３３の正面部３３ａの下部には、受台５７が設けられている。この受台５７は、正面部３３ａに連続して略水平方向に展開される上板部５７ａと、この上板部５７ａに連続して下方に展開される側板部５７ｂ等を有している。受台５７の上板部５７ａには、長手方向に適宜な間隔をあけて配置された複数の係合溝５８（本実施の形態では３つ）が設けられている。この係合溝５８に対応する正面部３３ａの部位には、開口部６０が設けられており、各係合溝５８及び開口部６０には、着脱カバー３４の後述する係合突起７２がそれぞれ係合される。
【００３９】
図５及び図８に示すように、受台５７の側板部５７ｂ及び背面部３３ｂに連続する半円部３３ｆには、ベース部３１の５つの係合穴４９にそれぞれ対応する位置に係合爪５９が設けられている。即ち、係合爪５９は、受台５７の側板部５７ｂに長手方向に所定の間隔をあけて３つ配置され、半円部３３ｆに長手方向に所定の間隔をあけて２つ配置されている。そして、各係合爪５９がベース部３１の各係合穴４９にそれぞれ係合されると共に、補強リブ５６の先端部がベース部３１のカバー受け部４２ｂに当接されることにより、固定カバー３３がベース部３１に固定されている。
【００４０】
本実施の形態は、固定カバー３３に爪部の一具体例を示す係合爪５９を設け、ベース部３１に係合部の一具体例を示す係合穴４９を設ける構成としたが、本発明に係るスタンドとしては、固定カバーに係合部を設け、ベース部に爪部を設ける構成とすることもできるものである。
【００４１】
図２等に示すように、固定カバー３３の背面部３３ｂには、ディスプレイ本体２の背面に接続されるアンテナ線等の各種ケーブルを保持するための、ケーブル保持部材６１が設けられている。図４に示すように、ケーブル保持部材６１は、円筒体を、その軸方向に２分割したような形状をなす第１の保持片６１ａと、第２の保持片６１ｂとから形成され、第１の保持片６１ａが固定ねじ等の固着手段により固定カバー３３の背面部３３ｂに取り付けられている。両保持片６１ａ，６１ｂは、互いに重ね合わせて円筒状としたときの一方の接触部分でヒンジ手段により回動可能に連結されており、ヒンジ手段と反対側の他方の接触部分は、着脱可能に係合されるようになっている。
【００４２】
固定カバー３３の上面部３３ｃには、一対の支柱部３２，３２を貫通させるための角穴６２，６２と、固定カバー３３をベース部３１のカバー受け部４２ｂに固定するための６つのボス穴６３が設けられている。６つのボス穴６３は、ベース部３１のカバー受け部４２ｂに設けた６つのねじ孔５３に対応する位置にそれぞれ配置されており、固定カバー３３をベース部３１に固定した状態において、各ボス穴６３の先端部がカバー受け部４２ｂに当接される。このボス穴６３の先端部は、図示しない固定ねじのねじ軸部が貫通可能に形成されている。
【００４３】
本実施の形態では、固定カバー３３にボス穴６３を設けると共に、ベース部３１のカバー受け部４２ｂにねじ孔５３を設け、固定カバー３３をベース部３１のカバー受け部４２ｂに固定する構成としたが、本発明に係るスタンドとしては、必ずしもカバー受け部３２ｂに固定カバー２３を固定する必要はなく、固定カバー３３に設けた係合爪５９をベース部３１の係合穴４９に係合させるだけで、固定カバー３３をベース部３１に固定することができるものである。この場合、固定カバー３３及びベース部３１にボス穴やねじ穴を設ける必要がなく、加工工数を削減することができる共に、組立時や分解時等における作業性を向上させて作業効率の向上を図ることができる。
【００４４】
固定カバー３３の両側面部３３ｄ，３３ｅには、ロック片６５，６５が設けられている。図９に示すように、ロック片６５は、固定カバー３３の正面部３３ａから右側面部３３ｅ（左側面部３３ｄ）にかけて切り込み６６を設けることにより形成されていて、水平方向に弾性（撓み）変形可能とされている。このロック片６５は、先端部に外側に突出するロック突部６５ａを有しており、このロック突部６５ａには着脱カバー３４の後述する係止部７３が係合される。
【００４５】
着脱カバー３４は、主にデザイン性の観点から用いられるものであり、ベース部３１の前部に着脱可能に構成されている。この着脱カバー３４は、全体的に袋状をなしており、ベース部３１の上面を覆う上面部３４ａと、左右の側面部３４ｂ，３４ｃと、正面部３４ｄ等を有し、上面部３４ａは、正面部３４ｄに向かって順次小さくなるように傾斜されている。着脱カバー３４の正面部３４ｄの裏面には、正面部３４ｄの下部辺に連続して水平方向の内側に展開される底面板６８が設けられており、これにより、嵌合溝６９が形成されている。この嵌合溝６９には、ベース部３１の嵌合爪４５が着脱可能に嵌合される。
【００４６】
図７等に示すように、着脱カバー３４の上面部３４ａの裏面には、着脱カバー３４の強度を高めるために略格子状に形成された補強片７０と、この補強片７０に連続して正面部３４ｄと反対側から突出する複数の係合突起７１（本実施の形態では３つ）が設けられている。係合突起７１は、着脱カバー３４の長手方向に所定の間隔をあけて配置されており、着脱カバー３４をベース部３１に装着した状態で、固定カバー３３の係合溝５８にそれぞれ係合される。
【００４７】
着脱カバー３４の左右の側面部３４ｂ，３４ｃの裏面には、略中央部にガイド受け部７２が設けられており、正面部３４ｄと反対側の端部に係止部７３が設けられている。図１０に拡大して示すように、ガイド受け部７２は、左側面部３４ｂ（右側面部３４ｃにおいても同様）の下部辺に連続して水平方向に延在されるレール板７２ａと、このレール板７２ａに直交する補強板７２ｂとからなっている。このガイド受け部７２は、ベース部３１に設けたガイド部４６に係合される。係止部７３は、略長方形の板体からなり、その平面が正面部３４ｄと平行となるように配置されている。この係止部７３は、固定カバー３３に設けたロック片６５に係合される。
【００４８】
着脱カバー３４としては、例えば、ポリカーボネート（ＰＣ）、アクリロにトリル・ブタジエン・スチレン樹脂（ＡＢＳ）等の合成樹脂を用いて、射出成形等により一体に形成することが好ましい。しかしながら、合成樹脂以外にも、アルミニウムその他の金属材料を用いることもできる。更に、着脱カバー３４には、デザイン性、装飾性等の使用目的や機能等を考慮して、適宜な色の塗料で塗装したものや、金属メッキを施したもの、或いは適宜な模様を描いたもの等のオプションを用意しておき、ユーザーが好みに応じて交換使用できるようにする。
【００４９】
このような構成を有するスタンド３は、例えば、次のようにして着脱カバー３４をベース部２１に対して簡単に着脱することができる。まず、着脱カバー３４をベース部２１に装着する場合について説明する。この場合は、図６及び図７に示すように、着脱カバー３４をベース部３１の前部に対向させ、水平方向に移動させてベース部３１に近づける。このとき、着脱カバー３４のガイド受け部７２がベース部３１のガイド部４６に係合されて着脱カバー３４の移動方向が規制される。これにより、着脱カバー３４を簡単に所定の方向、即ち、着脱カバー３４を固定カバー３３に水平方向に平行に接近させる方向に移動させることができる。
【００５０】
そして、着脱カバー３４が固定カバー３３の正面部３３ａに当接するまで移動させる。これにより、着脱カバー３４の係止部７３が固定カバー３３に設けたロック片６５に係合して着脱カバー３４の移動が係止され、着脱カバー３４がベース部２１に装着される。即ち、図１１に示すように、着脱カバー３４の係止部７３によってロック片６５のロック突部６５ａが押圧され、ロック片６５はロック突部６５ａと反対側の基部を支点に内側に弾性（撓み）変形される。そして、着脱カバー３４の係止部７３がロック片６５のロック突部６５ａを乗り越えた状態で、着脱カバー３４の移動が係止される。
【００５１】
これと同時に、着脱カバー３４の各係合突起７１が、固定カバー３３の各係合溝５８に係合されると共に、ベース部材３１の嵌合爪４５が着脱カバー３４の嵌合溝に嵌合される。これにより、着脱カバー３４のガタツキを防止又は軽減することができ、着脱カバー３４をベース部３１に確実に装着することができる。
【００５２】
また、着脱カバー３４をベース部材３１から取り外す場合には、固定カバー３３の各ロック片６５を内側に押圧する。これにより、着脱カバー３４の係止部７３とロック片６５のロック突部６５ａとの係合が解除され、着脱カバー３４は、固定カバー３３から離れる方向への移動が可能になる。その後、着脱カバー３４を固定カバー３３から離れる方向へ移動させる。これにより、着脱カバー３４は、ベース部材３１のガイド部４６に沿って移動し、着脱カバー３４をベース部３１から取り外すことができる。
【００５３】
以上説明してきたように、本発明の画像表示装置によれば、スタンドにより表示装置本体を支持した状態で、使用者がスタンドの着脱カバーの装着、取り外しを自由に行うことができるため、着脱カバーの色や模様のバリエーションをオプションとして用意しておくことにより、使用者が好みの着脱カバーと容易に交換することができる。しかも、着脱カバーを交換する際に工具を必要とせず、使用者が煩雑な思いをすることなく、極めて簡単に交換作業を行うことができる。
【００５４】
更に、画像表示装置を設置後、着脱カバーに傷が付いたたり、汚れたりした場合であっても、画像表示装置自体や画像表示装置から取り外したスタンドを修理のためのサービスセンター等に持ち運ぶ必要がなく、使用者に煩雑な思いや不便な思いをさせる心配がない。また、固定カバーに設けた係合爪をベース部に設けた係合穴に係合させて、固定カバーをベース部に固定する構成としたため、固定ねじ等の固着手段を使用する必要がなく、簡単に組立又は分解作業を行うことができ、作業効率を向上させることができる。
【００５５】
本発明は、前述しかつ図面に示した実施の形態に限定されるものではなく、その要旨を逸脱しない範囲内で種々の変形実施が可能である。例えば、前記実施例においては、画像表示装置として液晶ディスプレイテレビを適用した例について説明したが、プラズマディスプレイテレビ、プロジェクタ、その他の画像表示装置にも適用できるものである。
【図面の簡単な説明】
【００５６】
【図１】本発明の画像表示装置の第１の実施の例を示すもので、正面側から見た斜視図である。
【図２】本発明の画像表示装置の第１の実施の例を示すもので、背面側から見た斜視図である。
【図３】本発明の画像表示装置の第１の実施の例を示すもので、装置全体の分解斜視図である。
【図４】本発明の画像表示装置に係るスタンドの一実施例を示すもので、正面側から見た斜視図である。
【図５】図４に示すスタンドの分解斜視図である。
【図６】図４に示すスタンドの着脱カバーを取り外した状態を正面側から見た斜視図である。
【図７】図４に示すスタンドの着脱カバーを取り外した状態を底面側から見た斜視図である。
【図８】図４に示すスタンドのＡ−Ａ線断面図である。
【図９】図４に示すスタンドの固定カバーの要部を正面側から見た斜視図である。
【図１０】図４に示すスタンドの着脱カバーの要部を底面側からみた斜視図である。
【図１１】図４に示すスタンドの着脱カバーをロックした状態を説明するための説明図である。
【符号の説明】
【００５７】
１…液晶ディスプレイテレビ（画像表示装置）、  ２…ディスプレイ本体（表示装置本体）、  ３…スタンド、  ５…パネル組立体、  ６…表示パネル、  ７…取付フレーム、  ８…カバーフレーム、  ９…スピーカユニット、  １０…バックカバー、  ３１…ベース部、  ３２…支柱部、  ３３…固定カバー、  ３４…着脱カバー、  ４１…載置板、  ４２…補強部材、  ４２ａ…立上り部、  ４２ｂ…カバー受け部、  ４５…嵌合爪、  ４６…ガイド部、  ４９…係合穴（係合部）、  ５８…係合溝、  ５９…係合爪（爪部）、  ６５…ロック片、  ６５ａ…ロック突部、  ６６…切り込み、  ６９…嵌合溝、  ７１…係合突起、  ７２…ガイド受け部、  ７３…係止部
【図１】
2007156353.tif 000003
【図２】
2007156353.tif 000004
【図３】
2007156353.tif 000005
【図４】
2007156353.tif 000006
【図５】
2007156353.tif 000007
【図６】
2007156353.tif 000008
【図７】
2007156353.tif 000009
【図８】
2007156353.tif 000010
【図９】
2007156353.tif 000011
【図１０】
2007156353.tif 000012
【図１１】
2007156353.tif 000013